(57)【特許請求の範囲】
【請求項１】
センタ軸受部を中心にして左右一対の工具軸が同一直線上に設けられ、各工具軸にフライス工具が装着されるとともに、各工具軸を単一の駆動源によって回転駆動するようにしたフライス加工装置であって、前記工具軸のそれぞれの外側端部にアウタ軸受部を設け、前記駆動源の動力をそれぞれのアウタ軸受部を通して各工具軸に伝達するようにしたことを特徴とするフライス加工装置。
【請求項２】
請求項１に記載のフライス加工装置において、前記工具軸の一端側は前記センタ軸受部に対して結合・切離し自在にされ、工具軸とセンタ軸受部を切離した状態で前記アウタ軸受部と工具軸は、工具軸方向に沿って移動可能にされることを特徴とするフライス加工装置。
【発明の詳細な説明】
【０００１】
【発明の属する技術分野】
本発明は、例えば左右一対の部品の側面フライスやすり割り加工を行うためのフライス加工装置に関する。
【０００２】
【従来の技術】
従来、例えば車両用部品であるナックル等の左右一対の部品の側面を同時に加工する装置として、例えば本出願人の提案に係る特開昭９―２２５７２１号のように、装置の中央部にドライブ伝達機構を設け、このドライブ伝達機構から左右に張出す工具軸にフライス工具を装着するような装置が知られている。
そして単一の駆動源から中央部のドライブ伝達機構を通して左右の工具軸に回転を伝達し、一対のワークを同時に加工するようにしている。
【０００３】
【発明が解決しようとする課題】
ところが、このようなフライス加工装置では、例えば左右のワークのピッチ間隔を狭くして加工したいような時でも、中央にドライブ伝達機構が存在するため、あまり狭く設定することが出来ず、ピッチ間隔が広いものしか加工できないという問題があった。
【０００４】
そこで本発明は、左右のワークのピッチ間隔が狭い場合でも適用することが出来、またフライス工具の交換を容易に出来るようにすることを目的とする。
【０００５】
【課題を解決するための手段】
上記目的を達成するため本発明は、センタ軸受部を中心にして左右一対の工具軸が同一直線上に設けられ、各工具軸にフライス工具が装着されるとともに、各工具軸を単一の駆動源によって回転駆動するようにしたフライス加工装置において、工具軸のそれぞれの外側端部にアウタ軸受部を設け、駆動源の動力をそれぞれのアウタ軸受部を通して各工具軸に伝達するようにした。
【０００６】
このように左右一対の工具軸を、中央のセンタ軸受部と外側のアウタ軸受部によって軸受けするとともに、駆動源の動力を左右に分配してアウタ軸受部から伝達するようにすれば、中央のセンタ軸受部を軸受機能を持たせるだけのシンプルな形態で小型化することが出来、左右のピッチ間隔を狭く設定して加工することが可能となる。
【０００７】
また本発明では、工具軸の一端側をセンタ軸受部に対して結合・切離し自在にし、工具軸とセンタ軸受部を切離した状態でアウタ軸受部と工具軸が、工具軸方向に沿って移動可能となるようにした。
【０００８】
こうすることで、例えばフライス工具の交換等を行う時は、各工具軸の一端側とセンタ軸受部の結合を切離し、センタ軸受部から遠ざかる方向に工具軸を移動させれば、工具軸からフライス工具を取外したり、取付けたりする作業を容易に行うことが出来る。
【０００９】
【発明の実施の形態】
本発明の実施の形態について添付した図面に基づき説明する。
ここで図１は本フライス加工装置を正面から見た断面図で、図３のＡ−Ａ線断面に対応する縦断面図、図２はスピンドルモータの出力軸部分の水平断面図、図３はスピンドルモータの出力軸部分の側面図、図４は、各種フライス工具の装着例を示す説明図である。
【００１０】
本発明に係るフライス加工装置は、例えば車両の足回り部品であるナックル等の左右対称部品の側面を同時に加工する装置として構成され、ワークの種類に対応して左右のピッチ間隔が狭い場合でも加工できるようにされ、またフライス工具の交換を容易に行えるようにされている。
【００１１】
すなわち、本フライス加工装置１は、図１に示すように、テーブル２の中央部に取り付けられる駆動源としての単一のスピンドルモータ３と、このスピンドルモータ３の駆動力を左右に分配する分配機構４と、分配された駆動力をそれぞれの工具軸５に伝達する左右一対のアウタ軸受部６と、工具軸５の内側端部を軸受けするセンタ軸受部７と、各工具軸５に装着されるフライス工具８を備えており、スピンドルモータ３の回転を分配機構４とアウタ軸受部６を介して左右の工具軸５に伝達し、各フライス工具８で左右対称の一対部品を同時に加工するようにされている。
【００１２】
前記分配機構４は、図２及び図３に示すように、スピンドルモータ３の出力軸３ａに取り付けられるベベルギヤ１０と、このベベルギヤ１０の回転を、アイドルギヤ１２に伝達するギヤ軸１１と、アイドルギヤ１２に噛合する被動ギヤ１３（図１、図３）を備えており、この被動ギヤ１３は、前記アウタ軸受部６や工具軸５の真下に平行に配設される動力分配軸１４の中央部に、キー部材１５を介して取り付けられている。
【００１３】
そしてこの動力分配軸１４の両端部には、図１に示すように、可動軸受部１６が設けられ、この可動軸受部１６には、キー部材１７を介して動力分配軸１４に取り付けられる伝達ギヤ１８と、この伝達ギヤ１８の周囲で動力分配軸１４を回転自在に軸受けする軸受ハウジング１９が設けられている。
そしてこの軸受ハウジング１９は、テーブル２のガイドレール２０に沿って左右に移動自在な可動台２１に取り付けられており、また、以下に述べるアウタ軸受部６の軸受ハウジング２２と一体に結合されている。
【００１４】
前記アウタ軸受部６は、前記可動軸受部１６の軸受ハウジング１９に固定される軸受ハウジング２２と、この軸受ハウジング２２に対して回転自在に軸受けされる支持筒２３と、この支持筒２３の外周部に固定されるギヤ２４を備えており、このギヤ２４が前記可動軸受部１６の伝達ギヤ１８に噛合するとともに、前記支持筒２３の一端側には、筒状の前記工具軸５が固定されている。
【００１５】
そして、前記支持筒２３と工具軸５の筒内には、工具締付軸２５が挿通され、この工具締付軸５の先端には、センタ軸受部７の結合部材２６の雌ネジに結合するための雄ネジが設けられており、また工具締付軸５の反対側には、締付ハンドル２７が取付可能にされている。
【００１６】
そして、センタ軸受部７の結合部材２６は、軸受ハウジング３５に回転自在に軸受けされる筒部材３６の左右両端部に固定され、これら結合部材２６に左右の工具締付軸２５の先端がねじ込まれている。
また、各工具軸５の外面には、キー部材２８を介して前記フライス工具８とスペーサ３１がセンタ軸受部７を中心に左右対称形状に嵌着されている。
【００１７】
前記可動台２１には、送り機構が設けられている。この送り機構は、テーブル２の端部に取り付けられるネジ軸支持部材３２と、このネジ軸支持部材３２のネジ孔を挿通する送りネジ軸３３を備えており、この送りネジ軸３３の先端が、可動台２１の雌ネジ孔に螺合するとともに、送りネジ軸３３の基端部に送りハンドル３４が装着されている。
【００１８】
以上のようなフライス加工装置１において、スピンドルモータ３の回転は被動ギヤ１３を通して動力分配軸１４に伝達され、この動力分配軸１４の回転は、左右の可動軸受部１６の伝達ギヤ１８から左右のアウタ軸受部６のギヤ２４を通してそれぞれの工具軸５に伝達される。
このため、左右の工具軸５は同期して回転し、例えば図４（ａ）に示すような左右のナックルＷの側面フライス加工を同時に行うことが出来る。
【００１９】
ところで、ナックルＷの形態が異なるような場合は、適切なフライス工具８に交換する必要があるが、次にフライス工具８の交換要領について説明する。
【００２０】
フライス工具８を交換する時は、まず工具締付軸２５の締付ハンドル２７を操作して、工具締付軸２５の先端を結合部材２６から切離す。
そして、工具締付軸２５と結合部材２６が切離されると、送りネジ軸３３の送りハンドル３４を回転させて可動台２１を外側方向に後退させる。
【００２１】
すると、可動台２１と一体の可動軸受部１６とアウタ軸受部６は共に移動し、工具軸５の先端がセンタ軸受部７から離脱する。
このため、工具軸５の外面に嵌着するフライス工具８とスペーサ３１を容易に交換することが出来る。
【００２２】
そして適切なフライス工具８とスペーサ３１に交換した後、送りネジ軸３３の送りハンドル３４の操作によって可動台２１を前進させ、工具軸５の先端をセンタ軸受部７の結合部材２６の凹部内に嵌合させるとともに、工具締付軸２５を締付けて先端のネジ部を結合部材２６に結合する。
【００２３】
以上のような要領で、フライス工具８を簡単に交換することが出来るが、例えば図４（ａ）に示す左右のナックルＷのピッチ間隔を、より狭くして加工したい場合は、図４（ｂ）に示すように左右のフライス工具８とスペーサ３１を交換して、フライス工具８の間隔を狭めて加工する。
また、これより更にピッチ間隔を狭める時は、図４（ｃ）に示すような形態のフライス工具８とスペーサ３１に交換すれば、最小限、センタ軸受部７の幅程度のピッチ間隔まで狭めることが出来る。そしてセンタ軸受部７の幅は、動力伝達の機能がないため、従来に較べて大幅に狭くすることが可能であり、この結果、従来に較べて加工範囲を広げることが出来る。
【００２４】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、取り扱うワークの種類等は任意であり、また加工の態様は側面フライス以外のすり割り加工等でも良い。
【００２５】
【発明の効果】
以上のように本発明に係るフライス加工装置は、センタ軸受部を中心にして左右一対の工具軸が同一直線上に設けられるフライス加工装置において、工具軸のそれぞれの外側端部にアウタ軸受部を設け、駆動源の動力をそれぞれのアウタ軸受部を通して各工具軸に伝達するようにしたため、左右のワークのピッチ間隔が狭いような時でも加工することが出来る。
また、工具軸とセンタ軸受部が離脱した状態でアウタ軸受部と工具軸が、工具軸方向に沿って移動可能となるようにすれば、フライス工具の交換作業を容易に行える。
【図面の簡単な説明】
【図１】本フライス加工装置を正面から見た断面図で、図３のＡ−Ａ線断面に対応する縦断面図
【図２】スピンドルモータの出力軸部分の水平断面図
【図３】スピンドルモータの出力軸部分の側面図
【図４】各種フライス工具の装着例を示す説明図
【符号の説明】
１…フライス加工装置、３…スピンドルモータ、５…工具軸、６…アウタ軸受部、７…センタ軸受部、８…フライス工具、２１…可動台。
【図１】
0003643258.tif 000002
【図２】
0003643258.tif 000003
【図３】
0003643258.tif 000004
【図４】
0003643258.tif 000005